【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
マイクロ流体チャネルを含むマイクロ流体チャネルデバイスであって、
基板表面を含む基板と、
前記基板表面に配置される駆動電極アセンブリのアレイであって、前記駆動電極アセンブリがある経路に沿って配列され、各駆動電極アセンブリが、
前記基板表面と接触して構成された第１の駆動電極表面を含むとともに第２の駆動電極層表面を含む駆動電極層と、
前記第２の駆動電極表面と接触して構成された第１の誘電体層表面を含むとともに第２の誘電体層表面を含む誘電体層と、
前記第２の誘電体層表面と接触して構成された第１の固定相層表面を含むとともに第２の固定相層表面を含む固定相層とを含む、駆動電極アセンブリのアレイと、
前記駆動電極アセンブリの前記第２の固定相層表面と対向するように構成されるとともに前記マイクロ流体チャネルを画定する距離だけ前記基板表面から隔てられた参照電極と
を備える、マイクロ流体チャネルデバイス。
【請求項２】
前記駆動電極アセンブリが直線的な流路に沿って配列される、請求項１に記載のデバイス。
【請求項３】
前記参照電極が、駆動電極アセンブリの前記アレイ内のいくつかの駆動電極アセンブリに数の上で対応する、間隔をおいて離れた参照電極ユニットのアレイとして構成される、請求項１に記載のデバイス。
【請求項４】
前記参照電極が光学的に半透明である、請求項１に記載のデバイス。
【請求項５】
前記電極アセンブリおよび前記参照電極と連絡して構成された、ある電位を出力するのに有効な電圧源と、
前記電圧源を制御するのに有効な電極セレクタと、
電極セレクタと連絡して構成されたプロセッサであって、前記電極セレクタを制御するのに有効であるプロセッサとをさらに備える、請求項１に記載のデバイス。
【請求項６】
各駆動電極アセンブリの前記駆動電極層が導電体トレースに結合される、請求項１に記載のデバイス。
【請求項７】
前記マイクロ流体チャネルが、前記マイクロ流体チャネルの入口に導入され得る小滴を収納するように寸法設定された高さおよび幅を有する、請求項１に記載のデバイス。
【請求項８】
前記電極アセンブリおよび前記参照電極と連絡して構成された、ある電位を出力するのに有効な電圧源と、
前記電圧源を制御するのに有効な電極セレクタとをさらに備える、請求項１に記載のデバイス。
【請求項９】
各駆動電極アセンブリの前記表面が、正方形電極、長方形電極、円形電極または楕円形電極のうちの１つもしくは複数に対応する、請求項１に記載のデバイス。
【請求項１０】
対応する駆動電極アセンブリと対向する各参照電極ユニットの前記表面が、正方形電極、長方形電極、円形電極または楕円形電極のうちの１つもしくは複数に対応する、請求項３に記載のデバイス。
【請求項１１】
前記参照電極の幅および前記駆動電極アセンブリのそれぞれの幅が、前記マイクロ流体チャネルほどの幅である、請求項１に記載のデバイス。
【請求項１２】
前記参照電極の幅および前記駆動電極アセンブリのそれぞれの幅が、前記マイクロ流体チャネルほどの幅である、請求項９に記載のデバイス。
【請求項１３】
前記参照電極ユニットのそれぞれの幅および前記駆動電極アセンブリのそれぞれの幅が、前記マイクロ流体チャネルほどの幅である、請求項１０に記載のデバイス。
【請求項１４】
前記マイクロ流体チャネルの長さが約０．５ｍｍから約５０ｍｍ、高さが約１μｍから約５ｍｍ、かつ幅が約１０μｍから約５ｍｍの範囲にわたる、請求項１に記載のデバイス。
【請求項１５】
前記参照電極の深さが約１００ｎｍから約１０μｍの範囲にわたる、請求項１に記載のデバイス。
【請求項１６】
前記駆動電極アセンブリの長さが約１０μｍから約１ｍｍ、かつ幅が約１０μｍから約５ｍｍの範囲にわたり、前記駆動電極層の高さが約１０ｎｍから約１μｍの範囲にわたり、中間誘電体層の高さが約１ｎｍから約１０００ｎｍの範囲にわたり、前記固定相層の高さが約１μｍから約１ｍｍの範囲にわたる、請求項１に記載のデバイス。
【請求項１７】
前記チャネルが水で充填される、請求項１に記載のデバイス。
【請求項１８】
前記マイクロ流体チャネルに熱を与えるのに有効なように構成および配置されたヒータをさらに備える、請求項１に記載のデバイス。
【請求項１９】
前記駆動電極アセンブリのうちの２つがギャップを画定し、
前記ギャップが電気絶縁材料で充填される、請求項１に記載のデバイス。
【請求項２０】
前記マイクロ流体チャネルが、正方形、長方形、楕円形、長円形、卵形、菱形、六角形、円形、および同心円のうちの少なくとも１つである形状の断面を有する、請求項１に記載のデバイス。
【請求項２１】
請求項１に記載のデバイスを使用して試料小滴を分析する方法であって、
分離されるべき検体を含有する試料小滴をマイクロ流体チャネルデバイスの入口に導入することを含み、前記マイクロ流体チャネルデバイスが駆動電極アセンブリのアレイおよび参照電極を含み、前記駆動電極アセンブリがそれぞれ駆動電極層、誘電体層および固定相層を含み、前記小滴が前記アレイ内の第１の駆動電極アセンブリの上に導入され、前記小滴が前記第１の駆動電極アセンブリの前記固定相層と接触するとともに、前記検体が前記固定相層の中に分散し固定化されるのに十分な時間前記固定相層と接触したままになって、検体画分、および検体がなくなった小滴が生成され、さらに、
前記第１の駆動電極アセンブリと、前記検体がなくなった小滴を前記アレイ内の次の駆動電極アセンブリまで移動させるのに有効な前記第１の駆動電極アセンブリに実質的に隣接している次の駆動電極アセンブリとの間の電位を調整することを含む、試料小滴を分析する方法。
【請求項２２】
前記参照電極が光学的に半透明の材料から作製され、前記方法がさらに、各検体画分を分光法で分析することを含む、請求項２１に記載の方法。
【請求項２３】
各検体画分が吸収分光法または蛍光分光法で分析される、請求項２１に記載の方法。
【請求項２４】
請求項１に記載の、マイクロ流体チャネルを含むマイクロ流体チャネルデバイスであって、
基板表面を含む基板と、
前記基板表面に配置される駆動電極アセンブリのアレイであって、前記駆動電極アセンブリがある経路に沿って配列され、各駆動電極アセンブリが、
前記基板表面と接触して構成された第１の駆動電極表面を含むとともに第２の駆動電極層表面を含む光学的に半透明の駆動電極層と、
前記第２の駆動電極表面と接触して構成された第１の誘電体層表面を含むとともに第２の誘電体層表面を含む誘電体層と、
前記第２の誘電体層の表面と接触して構成された第１の固定相層表面を含むとともに第２の固定相層表面を含む固定相層とを含む、駆動電極アセンブリのアレイと、
プレート表面を含む光学的に半透明なプレートと、
前記駆動電極アセンブリの前記第２の固定相層表面と対向するとともに前記マイクロ流体チャネルを画定する距離だけ前記基板表面から隔てられた参照電極と、
前記電極アセンブリおよび前記参照電極と連絡して構成された、ある電位を出力するのに有効な電圧源と、
前記電圧源を制御するのに有効な電極セレクタとを備えるマイクロ流体チャネルデバイスと、
前記駆動電極アセンブリのうちの１つの前記固定相層に入射する光ビームを導くのに有効な光源とを備える分析システムであって、
前記固定相層が、前記光ビームを受光し、反射光を発生するのに有効であり、さらに
前記固定相層からの前記反射光を収集および分析するのに有効な分光計を備える、分析システム。
【請求項２５】
前記光ビームの経路内に連続する駆動電極アセンブリを順次位置決めするのに有効な送り機構をさらに備える、請求項２４に記載の分析システム。
【請求項２６】
互いに連絡して配列された複数の前記マイクロ流体チャネルデバイスをさらに備える、請求項２４に記載の分析システム。
【請求項２７】
前記複数のマイクロ流体チャネルデバイスが、小滴が１つの前記マイクロ流体チャネルデバイスからもう１つの前記マイクロ流体チャネルデバイスへと分岐できるように配列される、請求項２６に記載の分析システム。